(57)【要約】【課題】  専用の隠蔽用ラベルを往信葉書に剥離可能に貼付させないでも、返信用の葉書の記載情報を第三者に見られない状態で郵送可能にし、専用の隠蔽用ラベルを設けるためのコストがかからないようにした返信用葉書を有する葉書を提供する。【解決手段】  裏面に剥離可能な粘着剤層を有する矩形状の葉書用紙が、切り取りミシン線を介して略中央から２つ折りされ、且つ前記粘着剤層同士により剥離可能に接着されて葉書大の寸法に形成され、２つ折りされた前記葉書用紙の上側に、裏面に剥離可能で再貼付可能な粘着剤層を有する宛名表示用紙片が剥離層を介して貼付され、前記宛名表示用紙片に、該宛名表示用紙片の宛名表示部以外の部分を切り離すための切り取り用加工が施されていることを特徴とする。【選択図】        図1
2006015504.tif 000002
【特許請求の範囲】
【請求項１】
裏面に剥離可能な粘着剤層を有する矩形状の葉書用紙が、切り取りミシン線を介して略中央から２つ折りされ、且つ前記粘着剤層同士により剥離可能に接着されて葉書大の寸法に形成され、２つ折りされた前記葉書用紙の上側に、裏面に剥離可能で再貼付可能な粘着剤層を有する宛名表示用紙片が剥離層を介して貼付され、前記宛名表示用紙片に、該宛名表示用紙片の宛名表示部以外の部分を切り離すための切り取り用加工が施されていることを特徴とする返信用葉書を有する葉書。
【請求項２】
前記２つ折りされた前記葉書用紙の上側に、郵便はがきの文字が表示され、前記宛名表示用紙片が、前記文字が表示された部分と重ならない状態で貼付されていることを特徴とする請求項１記載の返信用葉書を有する葉書。
【請求項３】
前記切り取り用加工が、切り取りミシン目またはスリットであることを特徴とする請求項１記載の返信用葉書を有する葉書。
【発明の詳細な説明】
【技術分野】
【０００１】
本発明は、受取人が返信に使用するための返信用葉書を有する葉書であって、返信用葉書に記載した事項を第三者に見られないように隠蔽状態として郵送できるようにした返信用葉書を有する葉書に関する。
【背景技術】
【０００２】
従来、往復葉書は、往信葉書と返信葉書とが折り線を介して連接された形態を有しており、往信葉書や返信葉書に記載された情報が第三者にも簡単に見られるように構成されている。
近年、個人情報に対する保護の重要性が高まる中、郵送媒体に記載された情報の保護対策も求められてきている。
【０００３】
このようなことからも、既に往復葉書において、往信葉書に記載された情報を隠蔽状態で郵送し、更に返信葉書に記載された情報も隠蔽状態として返送できるようにした往復葉書などが開発され公知となっている。（例えば、特許文献１、参照）
しかしながら、これら従来の往復葉書は、特に返信葉書に記載された情報を隠蔽状態とするための専用の隠蔽用ラベルを往信葉書に剥離可能に貼付させなければならず、専用の隠蔽用ラベルを設けることで、その分だけコスト高となり、大量の葉書を郵送する必要がある企業などにとって、経済的な負担となるという問題もある。
【特許文献１】特開２００１−８８４７３号公報
【発明の開示】
【発明が解決しようとする課題】
【０００４】
本発明は、特に返信葉書に記載された情報を隠蔽状態とするための専用の隠蔽用ラベルを、わざわざ往信葉書に剥離可能に貼付させないでも、返信用の葉書に記載された情報を第三者に見られない状態で郵送することを可能にし、専用の隠蔽用ラベルを設けるコストがかからないようにした返信用葉書を有する葉書を提供する。
【課題を解決するための手段】
【０００５】
本発明の返信用葉書を有する葉書は、裏面に剥離可能な粘着剤層を有する矩形状の葉書用紙が、切り取りミシン線を介して略中央から２つ折りされ、且つ前記粘着剤層同士により剥離可能に接着されて葉書大の寸法に形成され、２つ折りされた前記葉書用紙の上側に、裏面に剥離可能で再貼付可能な粘着剤層を有する宛名表示用紙片が剥離層を介して貼付され、前記宛名表示用紙片に、該宛名表示用紙片の宛名表示部以外の部分を切り離すための切り取り用加工が施されていることを特徴とする。
【０００６】
また、本発明の返信用葉書を有する葉書は、前記２つ折りされた前記葉書用紙の上側に、郵便はがきの文字が表示され、前記宛名表示用紙片が、前記文字が表示された部分と重ならない状態で貼付されていることを特徴とする。
【０００７】
更に、本発明の返信用葉書を有する葉書は、前記切り取り用加工が、切り取りミシン目またはスリットであることを特徴とする。
【発明の効果】
【０００８】
本発明の返信用葉書を有する葉書は、宛名表示用紙片の一部を切り離して、返信用葉書の情報記載部に貼付させて記載情報を隠蔽させて郵送できるので、専用の隠蔽用ラベルを設けないでも、返信用の葉書に記載された情報を第三者に見られない状態で郵送することができ、また専用の隠蔽用ラベルがないので、コスト高にもならないという効果がある。
【０００９】
また、本発明の返信用葉書を有する葉書は、宛名表示用紙片が、郵便はがきの文字が表示された部分と重ならない状態で貼付されているので、２つ折りされた用紙の上側の用紙を葉書本体部分として郵送することができるという効果がある。
【００１０】
また、本発明の返信用葉書を有する葉書は、宛名表示用紙片が、切り取り用加工を切り取りミシン目またはスリットとすることで、宛名表示用紙片の一部を簡単に切り離して返信用の葉書の記載部分上に貼付させることができるという効果がある。
【発明を実施するための最良の形態】
【００１１】
以下、本発明の実施形態に係る返信用葉書を有する葉書について、図面に基づいて詳細に説明する。
図１は、本発明の実施形態に係る返信用葉書を有する葉書の表側から見た状態を示す斜視図、図２は、図１のＡ−Ａ線断面図、図３は、本発明の実施形態に係る返信用葉書を有する葉書であって、２つ折りされた葉書用紙を開いた状態を表側から見た状態を示す斜視図、図４は、本発明の実施形態に係る返信用葉書を有する葉書であって、２つ折りされた葉書用紙を開いた状態を裏側から見た状態を示す斜視図、図５は、本発明の実施形態に係る返信用葉書を有する葉書であって、２つ折りされた葉書用紙を開き、隠蔽用紙片を切り取った状態を示す斜視図、図６は、本発明の実施形態に係る返信用葉書を有する葉書において、返信用葉書に隠蔽用紙片を貼付させた状態を示す斜視図である。
【００１２】
本発明の実施形態に係る返信用葉書を有する葉書１は、図１及び図２に示すように、裏面に剥離可能な感圧粘着剤層２を有する矩形状の葉書用紙３が、切り取りミシン線４を介して略中央から２つ折りされた状態で、裏面に剥離可能な感圧粘着剤層２同士により剥離可能に接着されている。
矩形状の葉書用紙３が、切り取りミシン線４を介して略中央から２つ折りされた際のサイズは、葉書大の寸法に形成されている。
図１において、２つ折りされた矩形状の葉書用紙３の上側が、葉書本体３ａとなり、葉書用紙３の下側が、返信用葉書３ｂとなる。
また、葉書本体３ａの表面の左側端縁部には、「郵便はがき」の文字が表示されている。
【００１３】
２つ折りされ、剥離可能な感圧粘着剤層２同士で接着された矩形状の葉書用紙３は、重ね合わされた葉書用紙３の両端部を摘んで、逆方向に引っ張ることで、引き剥がすことが可能に構成されている。
葉書用紙３の葉書本体３ａの裏面には、相手に伝えるための種々の内容が印刷されていたり、プリンタ印字などで表示されているが、郵送される際には、葉書本体３ａの裏側に返信用葉書３ｂが重ね合わされているので、第三者に通信内容が見えないようにすることができる。
【００１４】
剥離可能な感圧粘着剤層２に使用される感圧粘着剤は、密着面の密着及び再剥離を容易にするように調整されており、以下に説明する粘着主剤、粘着力調整剤、添加物等が以下の割合で混合されている。
粘着主剤              １００重量部
粘着力調整剤
針状物質の場合        １０〜１００（好ましくは１０〜５０）重量部
微粒状物質の場合      ０〜５０（好ましくは５〜３０）重量部
上記両物質混合の場合  １０〜１００重量部
添加物
ワックス              ０．０１〜２０重量部
紫外線吸収剤          微量
消泡剤                微量
消泡助剤              微量
エマルジョン化成分
水                    １００〜５００（好ましくは２００〜３００）重量部
乳化剤                ０．５〜２重量部
樹脂                  １〜５０重量部
【００１５】
粘着主剤は、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。
これらの粘着主剤の混合にあたっては、その混合割合を適宜調整することによって、感圧粘着剤同士の自着性を保持しつつ、基材との密着性を自着性より大きくすることができる。
【００１６】
好ましくは、加圧によって感圧粘着剤同士の自着性を発現する性質の高い天然ゴムに、基材との密着性、即ちアンカー効果を高める目的でポリメチルメタクリレートやスチレンブタジエンゴムを添加したものが挙げられる。
ポリメチルメタクリレートは単独で用いるより、他の粘着主剤と混合して用いるとよい。
このような粘着主剤は、通常粒径０．１μｍ〜３μｍ程度の微粒状のものが使用される。
【００１７】
粘着力調整剤は、粘着主剤の粘着力を調整するために混合され、針状物質若しくは微粒状物質又はこれらの混合物が用いられる。
また、針状物質としては、無機物質、有機物質のいずれでもよく、その形状が略針状であればよく、偏平状、螺旋状、鱗片状等の様々な形態を持つものから任意に選択されるが、針状物質が特に好適である。
針状物質として、平均長さは１０μｍ〜２０μｍ、また平均径としては０．２μｍ〜０．５μｍ程度のものが好ましい。
針状物質は、感圧粘着剤をエマルジョンとし、塗布剤とした時の沈降性を低くするために見掛け比重が０．０５〜０．６のものが好ましい。
【００１８】
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０ｍμｍ〜３０μｍ、好ましくは０．５μｍ〜１０μｍの範囲にあるものが好適である。
また、針状物質と共に添加することにより、微粒状物質の添加量を少なくすることができると共に微粒状物質の粉落ちを防止することができる。
【００１９】
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。
また、消泡剤として、非イオン系界面活性剤、アニオン系界面活性剤（鉱物油系）を添加したり、さらに、消泡助剤として、シリカ等を添加してもよい。
【００２０】
前述した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチン等を使用できる。
また、エマルジョン化したとき、粘着主剤の２次凝集防止のために、粘着主剤と親和性を有しない樹脂を添加することができる。
この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００２１】
このような感圧粘着剤の塗布量は、乾燥後で０．１ｇ／ｍ２〜１０ｇ／ｍ２、好ましくは１．０ｇ／ｍ２〜３．０ｇ／ｍ２が好ましい。
この範囲内であれば、感圧粘着剤上から印刷あるいは印字した時にインキが感圧粘着剤中を透過し、基材にまで到達させることができ、剥離した場合の印字層の転移を防止できる。
更には、ブロッキング、パイリング（粉落ち）等も防止でき、充分な密着性と印字性が得られる
【００２２】
また、返信用葉書３ｂの上面側、つまり葉書本体３ａの裏面と接着される側の面には、予め返信用葉書３ｂを郵送する際に宛先を印刷などで表示しておく。
これにより、返信用葉書を有する葉書１の受取人が、返信用葉書３ｂを使用する際にわざわざ宛先を記入しなくてもすむ。
【００２３】
更に、２つ折りされた葉書用紙３の葉書本体３ａの上側には、裏面に剥離可能で再貼付可能な粘着剤層５を有する宛名表示用紙片６が剥離層７を介して貼付されている。
宛名表示用紙片６の上下方向に対する略中央部には、切り取りミシン目またはスリットからなる切り取り加工８が施され、この切り取り加工８された部分から上側の部分が、宛名を表示するための宛名表示部６ａとなり、下側の部分が返信用葉書に貼付するための隠蔽用紙片６ｂとなる。
また、宛名表示用紙片６は、図１に示すように、葉書本体３ａ上に貼付させた際に、葉書本体３ａに表示してある「郵便はがき」の文字と重ならない状態で貼付することが可能な寸法を有すると共に、宛名表示用紙片６が貼付されていても、葉書本体３ａに表示してある「郵便はがき」の文字が外部から目視可能な位置に貼付されている。
【００２４】
葉書本体３ａの上側に貼付された宛名表示用紙片６は、宛名表示用紙片６の角部などを指で摘んで上方向に引っ張ることで、宛名表示用紙片６の裏面に設けられている剥離可能で再貼付可能な粘着剤層５と、剥離層７との間から剥離可能に構成されている。
また、宛名表示用紙片６の裏面に設けられている剥離可能で再貼付可能な粘着剤層５は、剥離層７から剥離させた後に、返信用葉書３ｂに剥離可能な状態で再度貼付できる粘着力を有している。
【００２５】
次に、本発明の実施形態に係る返信用葉書を有する葉書の使用方法について説明する。
葉書の送信人は、図１に示す状態からなる返信用葉書を有する葉書１をポストに投函するなどして郵送する。
そして、この返信用葉書を有する葉書１の受取人は、まず図４に示すように、２つ折りされ接着状態にある矩形状の葉書用紙３の両端部を摘んで、逆方向に引っ張ることで、引き剥がし、葉書本体３ａの裏面に表示されている通信内容９が見られる状態にして、それらの通信内容９を読む。
【００２６】
また、返信用葉書３ｂの裏面には、個人情報記入欄などの返信情報記入部１０が設けられており、受取人は、この返信情報記入部１０に必要事項の記入を行なう。
そして、図５に示すように、葉書本体３ａ上に貼付されている隠蔽用紙片６ｂを剥離層７から剥離した後、返信用葉書３ｂの裏面の返信情報記入部１０上に重ね合わせることで、返信情報記入部１０に記入された事項を外部から見られない状態に隠蔽する。
【００２７】
次に、葉書用紙３に形成されている切り取りミシン目またはスリットからなる切り取り加工８の部分から、返信用葉書３ｂを切り取ることで、図６に示すような、返信情報記入部１０に記入された事項を外部から見られない状態とした返信用葉書３ｂが出来上がる。
そして、この返信用葉書３ｂをポストに投函するなどして返信する。
【００２８】
以上のように、本発明の返信用葉書を有する葉書では、送信内容と返信内容とのいずれの内容とも第三者に見られない状態で郵送することができるので、通信内容が第三者に盗み見られることを防止できる。
【図面の簡単な説明】
【００２９】
【図１】本発明の実施形態に係る返信用葉書を有する葉書の表側から見た状態を示す斜視図である。
【図２】図１のＡ−Ａ線断面図である。
【図３】本発明の実施形態に係る返信用葉書を有する葉書であって、２つ折りされた葉書用紙を開いた状態を表側から見た状態を示す斜視図である。
【図４】本発明の実施形態に係る返信用葉書を有する葉書であって、２つ折りされた葉書用紙を開いた状態を裏側から見た状態を示す斜視図である。
【図５】本発明の実施形態に係る返信用葉書を有する葉書であって、２つ折りされた葉書用紙を開き、隠蔽用紙片を切り取った状態を示す斜視図である。
【図６】本発明の実施形態に係る返信用葉書を有する葉書において、返信用葉書に隠蔽用紙片を貼付させた状態を示す斜視図である。
【符号の説明】
【００３０】
１  返信用葉書を有する葉書
２  剥離可能な粘着剤層
３  矩形状の葉書用紙
３ａ  葉書本体
３ｂ  返信用葉書
４  切り取りミシン線
５  剥離可能で再貼付可能な粘着剤層
６  宛名表示用紙片
６ａ  宛名表示部
６ｂ  隠蔽用紙片
７  剥離層
８  切り取り加工
９  通信内容
１０  返信情報記入部
【図１】
2006015504.tif 000003
【図２】
2006015504.tif 000004
【図３】
2006015504.tif 000005
【図４】
2006015504.tif 000006
【図５】
2006015504.tif 000007
【図６】
2006015504.tif 000008